(57)【要約】  【課題】同一の車内のように制限された空間内へ複数のモバイルデバイスを持ち込んだ場合に、複数のモバイルデバイスのユーザにとって違和感のないコンテンツを再生できる。  【解決手段】予め接続が確立されている複数のモバイルデバイスから複数のモバイルデバイスのそれぞれに蓄積されているコンテンツの特徴を示すメタデータを無線接続を介して収集する。収集されるメタデータを処理して複数のモバイルデバイスにそれぞれ蓄積されているコンテンツの間で共通するコンテンツの特徴を抽出する。抽出されるコンテンツの特徴に対応するコンテンツを選択し、選択されるコンテンツを再生する。【選択図】図２
2013213893.tif 000002
【特許請求の範囲】
【請求項１】
予め接続が確立されている複数のモバイルデバイスから前記複数のモバイルデバイスのそれぞれに蓄積されているコンテンツの特徴を示すメタデータを無線接続を介して収集し、
収集される前記メタデータを処理して前記複数のモバイルデバイスにそれぞれ蓄積されているコンテンツの間で共通するコンテンツの特徴を抽出し、
前記抽出されるコンテンツの特徴に対応するコンテンツを選択し、
選択されるコンテンツを再生するコンテンツ再生装置。
【請求項２】
前記メタデータが付加されているコンテンツが前記モバイルデバイスに蓄積される請求項１に記載のコンテンツ再生装置。
【請求項３】
前記共通するコンテンツの特徴を抽出する場合に、前記メタデータにに対して優先順位が付けられる請求項１に記載のコンテンツ再生装置。
【請求項４】
前記メタデータをインターネットを介して収集する請求項１に記載のコンテンツ再生装置。
【請求項５】
前記複数のモバイルデバイスを子機とし、コンテンツ再生デバイスを親機とし、前記コンテンツ再生デバイスと前記モバイルデバイスとが予め接続が確立されている請求項１に記載のコンテンツ再生装置。
【請求項６】
前記モバイルデバイスに蓄積されているコンテンツの中から前記抽出されるコンテンツの特徴に対応するコンテンツを選択する請求項５に記載のコンテンツ再生装置。
【請求項７】
前記コンテンツ再生デバイスに予め蓄積されているコンテンツの中から前記抽出されるコンテンツの特徴に対応するコンテンツを選択する請求項５に記載のコンテンツ再生装置。
【請求項８】
前記複数のモバイルデバイス同士が無線通信を行う請求項１に記載のコンテンツ再生装置。
【請求項９】
前記複数のモバイルデバイスに予め蓄積されているコンテンツの中から前記抽出されるコンテンツの特徴に対応するコンテンツを選択する請求項８に記載のコンテンツ再生装置。
【発明の詳細な説明】
【技術分野】
【０００１】
本開示は、例えば車両内のように比較的狭い空間内に複数のモバイルデバイスが持ち込まれた場合に、それぞれの持ち主の嗜好に合ったコンテンツを再生するコンテンツ再生装置に関する。
【背景技術】
【０００２】
従来のコンテンツ再生装置において、携帯端末や携帯オーディオ再生機器に保管されているコンテンツの再生履歴や、傾向についてユーザの嗜好を分析し、特定のユーザの嗜好に合ったコンテンツの再生を可能とすることが提案されている（特許文献１、特許文献２参照）。
【先行技術文献】
【特許文献】
【０００３】
【特許文献１】特開２００４−０２６１５０号公報
【特許文献２】特開２０１０−１９１８０２号公報
【発明の概要】
【発明が解決しようとする課題】
【０００４】
これらの特許文献に記載のものは、特定のユーザの嗜好に合ったコンテンツの再生を意図するものである。しかしながら、自動車の車内のように、比較的狭い空間に複数の人が居る状況において、コンテンツ例えば楽曲を再生する場合に、特定の人の嗜好に合った楽曲を再生しても、他の人にとっては、必ずしも快適とは言えない場合があった。
【０００５】
したがって、本開示は、限られた空間内の複数人の嗜好に合ったコンテンツを再生することができるコンテンツ再生装置の提供を目的とする。
【課題を解決するための手段】
【０００６】
上述の課題を解決するために、本開示は、予め接続が確立されている複数のモバイルデバイスから複数のモバイルデバイスのそれぞれに蓄積されているコンテンツの特徴を示すメタデータを無線接続を介して収集し、
収集されるメタデータを処理して複数のモバイルデバイスにそれぞれ蓄積されているコンテンツの間で共通するコンテンツの特徴を抽出し、
抽出されるコンテンツの特徴に対応するコンテンツを選択し、
選択されるコンテンツを再生するコンテンツ再生装置である。
【発明の効果】
【０００７】
複数のモバイルデバイスの間でそれぞれに蓄積されているコンテンツの間で共通のコンテンツの特徴を抽出し、抽出された特徴を持ったコンテンツを再生する。複数のモバイルデバイスを例えば車内に持ち込んだ複数のユーザにとって再生されるコンテンツを快適に視聴することができる。
【図面の簡単な説明】
【０００８】
【図１】本開示によるコンテンツ再生装置の概略を示すフローチャートである。
【図２】本開示の第１の実施の形態のブロック図である。
【図３】本開示の第１の実施の形態におけるデータ構造の一例の説明に用いる略線図である。
【図４】本開示の第１の実施の形態におけるメタデータの一例の説明に用いる略線図である。
【図５】本開示の第１の実施の形態におけるメタデータの一例の説明に用いる略線図である。
【図６】本開示の第１の実施の形態の動作の説明に使用するフローチャートである。
【図７】本開示の第１の実施の形態の動作の説明に使用するフローチャートである。
【図８】メタデータの作成方法の一例の説明に用いる略線図である。
【図９】メタデータの他の例の説明に用いる略線図である。
【図１０】本開示の第２の実施の形態のブロック図である。
【発明を実施するための形態】
【０００９】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。
本開示の説明は、以下の順序にしたがってなされる。
＜１．本開示の概略的説明＞
＜２．第１の実施の形態＞
＜３．第２の実施の形態＞
＜４．変形例＞
【００１０】
＜１．本開示の概略的説明＞
本開示は、概略的には、図１に示すような処理を行うものである。以下の説明では、コンテンツの一例として楽曲を扱うことにする。楽曲以外の映像等のコンテンツを扱う場合にも同様に本開示を適用できる。
【００１１】
最初のステップＳＴ１において、コンテンツ再生機器と複数のモバイルデバイスとの無線接続が確立される。無線接続の方法としては、ワイヤレスＬＡＮ、ブルートゥース（登録商標）等を使用できる。例えば自動車の車内に複数のユーザがそれぞれモバイルデバイスを持ち込んだ場合、車載オーディオ機器を親機とし、モバイルデバイスを子機としてワイヤレスＬＡＮが構成される。
【００１２】
ステップＳＴ２では、モバイルデバイスから無線通信を介してメタデータが収集される。メタデータは、コンテンツの特徴（属性）に関する情報である。各モバイルデバイスには、メタデータが付加されたコンテンツが蓄積されている。このメタデータが無線通信を介して収集される。
【００１３】
ステップＳＴ３において、収集されたメタデータが処理される。この処理は、複数のモバイルデバイス間で共通するメタデータを取得するための処理である。共通するメタデータが得られると、ステップＳＴ４において、そのメタデータに対応する楽曲が選択される。そして、ステップＳＴ５において、選択された楽曲がオーディオ再生機器によって再生される。再生される楽曲は、複数のモバイルデバイスを持ち込んだ複数のユーザの嗜好に合ったものであり、ユーザは、再生される楽曲を楽しんで聴くことができる。
【００１４】
＜２．第１の実施の形態＞
図２は、本開示の第１の実施の形態のシステムを示す。点線で囲んで示すように、自動車の車内空間１００にオーディオ再生機器１と４台のモバイルデバイス２1 ，２2 ，２3
，２4が存在する。これらのモバイルデバイスを特に区別する必要がない場合には、単に
モバイルデバイス２と称する。オーディオ再生機器１は、車載オーディオ機器（所謂カーオーディオ）である。第１の実施の形態では、オーディオ再生機器１が親機（無線ＬＡＮにおけるアクセスポイント）となり、モバイルデバイス２が子機（端末）となる。したがって、モバイルデバイス２は、オーディオ再生機器１を介して通信を行う。このような通信モードは、インフラストラクチャモードと称される。
【００１５】
オーディオ再生機器１とモバイルデバイス２との間の無線通信の方法としては、この例では、無線ＬＡＮ（例えばIEEE 802.11に準拠している方式）が使用されているが、無線
ＬＡＮ以外の方法を使用しても良い。例えばBluetooth（登録商標）を使用することがで
きる。Bluetooth（登録商標）は、最大通信距離が１００メートルの近距離無線技術であ
り、周波数帯域として２．４ＧHzを使用する。UWB(Ultra Wide Band)を使用しても良い。UWBは、超広帯域（３．１ＧHz〜１０．６Ｇ）を使用して１０メートル程度の距離で、最
大４８０Ｍbpsの通信を行うことができる。ZigBeeを使用しても良い。ZigBeeは、ZigBee
Allianceが規格化を進めている近距離無線技術である。周波数帯域として、２．４ＧHz、９０２〜９２８ＭHz、８６８〜８７０ＭHzを使用する。最大通信距離が９〜６９メートルとされている。
【００１６】
モバイルデバイス２は、デジタルオーディオプレーヤー、スマートホン、タブレットＰＣ等である。すなわち、モバイルデバイス２は、楽曲データを保持すると共に、再生機能を有している。楽曲データと関連してメタデータが保持される。例えば各モバイルデバイスは、楽曲データおよびメタデータを保持するための不揮発性メモリと、楽曲データの圧縮符号化を復号するデコーダと、復号された楽曲データを再生する再生部とを備えている。再生部には、オーディオ処理用のプロセッサ、Ｄ／Ａコンバータ、アンプ、スピーカ等が含まれている。
【００１７】
図３は、モバイルデバイス２に格納されているメタデータおよび楽曲データを説明するものである。例えばＮ個の楽曲データＤ１〜ＤＮのそれぞれに対して、メタデータＭ１〜ＭＮが付加されている。さらに、各メタデータおよび楽曲データに対して、モバイルデバイスのＩＤ（識別情報）が付加されている。モバイルデバイス２1 のデータ場合に、ＩＤ１が付加される。モバイルデバイスのＩＤとしては、無線ＬＡＮ上のアドレスを使用することができる。
【００１８】
メタデータＭは、図４に示すように、例えばジャンル、アーチスト名、タイトルからなる。ジャンルは、図５に示すように、階層構造を有している。なお、図５は、ジャンルの一例であって、より多い種類のジャンルを設定しても良い。メタデータＭは、ユーザが各モバイルデバイスを操作することによって入力することができる。または、楽曲を所定の音楽配信サイトからダウンロードすると、メタデータＭがダウンロードされる楽曲データに付随しているので、当該メタデータを利用することができる。さらに、インターネット上の楽曲データベースにモバイルデバイスがアクセスすることによって、メタデータを取得するようにしても良い。
【００１９】
第１の実施の形態において、オーディオ再生機器１の制御部（マイクロコントローラ）が行う処理について、図６を参照して説明する。図６では、省略されているが、予め、オーディオ再生機器１とモバイルデバイス２1 〜２4との間で認証が行われ、無線ＬＡＮの
接続が確立される。認証がされていないモバイルデバイスとの間での通信は行われない。したがって、近くの無関係のユーザのモバイルデバイスとの通信は行われず、無関係のユーザの嗜好が反映されることが防止できる。
【００２０】
ステップＳＴ１１において、無線ＬＡＮに接続されているモバイルデバイス２1 〜２4
とオーディオ再生機器１が通信することによって、各モバイルデバイスからメタデータが収集される。例えばモバイルデバイス２1 〜２4と順番にオーディオ再生機器１が通信を
行い、各モバイルデバイスからメタデータを受信する。受信されるメタデータは、オーディオ再生機器１の記憶部に格納される。
【００２１】
ステップＳＴ１２において、収集されたメタデータが解析される。ステップＳＴ１３において、共通メタデータが収集される。ステップＳＴ１４において、共通メタデータのリストが作成される。すなわち、ステップＳＴ１４において、複数のモバイルデバイス２1 〜２4にそれぞれ蓄積されている楽曲の間で共通する特徴が抽出される。この共通の特徴
を共通メタデータと称する。
【００２２】
共通メタデータが抽出されると、ステップＳＴ１５において、楽曲の再生の際の優先順位が分析される。ステップＳＴ１３において、例えば共通メタデータとして「邦楽のポップ／ロック」と「洋楽のポップ／ロック」の２個のジャンルが収集される場合に、ステップＳＴ１５において、含まれる楽曲数が多い方のジャンルが優先される。さらに、ジャンル以外のアーチスト名およびタイトルも考慮して優先度の高い楽曲が選択される。
【００２３】
ステップＳＴ１５における分析結果に基づいて、ステップＳＴ１６において、再生すべき楽曲が選択される。そして、ステップＳＴ１７において、選択される楽曲がオーディオ再生機器１において再生される。ステップＳＴ１８において、楽曲の再生中に、次に再生する楽曲を選択するようになされる。
【００２４】
ステップＳＴ１６において選択され、ステップＳＴ１８において再生すべき楽曲は、オーディオ再生機器１およびモバイルデバイス２の何れかに記憶されているものが使用される。モバイルデバイス２に保持されている楽曲を選択して再生する場合には、ステップＳＴ１６において、当該楽曲を保持しているモバイルデバイス２に対してオーディオ再生機器１が楽曲送信要求を送信する。そして、要求を受信したモバイルデバイス２が要求されている楽曲データをオーディオ再生機器１に対して送信する。
【００２５】
楽曲を特定する方法としては、上述したメタデータに対して、さらに、再生時間の情報を付加することが考えられる。すなわち、オーディオ再生機器１に記憶されるメタデータＭは、「モバイルデバイスのＩＤ」毎に、「ジャンル、アーチスト名、タイトル、再生時間」となる。複数のモバイルデバイス２に保持されている全ての楽曲データの中で、「ジャンル、アーチスト名、タイトル、再生時間」が一致する楽曲は、殆ど存在しないので、楽曲を特定できる。そして、ＩＤによって特定されるモバイルデバイス２に対して、かかるメタデータを送信することによって、要求する楽曲を指定することができる。メタデータを受け取ったモバイルデバイス２が受信したメタデータから特定される楽曲データをオーディオ再生機器１に対して送信する。
【００２６】
このように選択された楽曲が再生されると、当該楽曲を持っているユーザは勿論のこと、他のユーザも好みに合った楽曲が再生されるので、一緒に楽しむことができる。さらに、再生中の楽曲の持ち主を確認することによって、ユーザ相互の理解が深まる可能性がある。
【００２７】
一方、オーディオ再生機器１に保持されている楽曲の中から共通メタデータに対応する楽曲を選択して再生しても良い。但し、この場合には、オーディオ再生機器１に保持されている楽曲数が制約されているので、モバイルデバイス２に保持されている楽曲と一致する楽曲を選択することが難しくなる。したがって、ジャンル、アーチスト名、タイトルの少なくとも一つが一致する楽曲が選択されて再生される。
【００２８】
オーディオ再生機器１に保持されている楽曲の中で、再生すべき楽曲を選択するための処理の一例を図７を参照して説明する。この処理は、オーディオ再生機器１に備えられているコントローラによってなされる。
【００２９】
ステップＳＴ２１：メタデータの収集が完了したか否かが判定される。
ステップＳＴ２２：収集されたメタデータの中で共通のタイトル（楽曲名）が検索される。通常、一つのモバイルデバイス２において、同一の楽曲が保持されている可能性が少ないので、検索され楽曲数の最大値は、モバイルデバイス２の個数を超えない。
ステップＳＴ２３：ステップＳＴ２２において、共通のタイトルが検索されると、そのタイトルの楽曲がオーディオ再生機器１の楽曲中に有るかどうかが判定される。
ステップＳＴ２４：楽曲が有ると、当該楽曲が再生対象として選択される。
【００３０】
ステップＳＴ２５：ステップＳＴ２２において、共通のタイトルがない場合、またはステップＳＴ２３において、共通タイトルの楽曲が検索できない場合に、共通のアーチスト名が検索される。
ステップＳＴ２６：ステップＳＴ２５において、共通のアーチスト名が検索されると、そのアーチスト名の楽曲がオーディオ再生機器１の楽曲中に有るかどうかが判定される。  ステップＳＴ２４：楽曲が有ると、当該楽曲が再生対象として選択される。
【００３１】
ステップＳＴ２７：ステップＳＴ２５において、共通のアーチスト名がない場合、またはステップＳＴ２６において、共通のアーチスト名の楽曲がない場合に、共通のジャンルが検索される。
ステップＳＴ２８：ステップＳＴ２７において、共通のジャンルが検索されると、そのジャンルの楽曲がオーディオ再生機器１の楽曲中に有るかどうかが判定される。
ステップＳＴ２４：同一ジャンルの楽曲が有ると、当該楽曲が再生対象として選択される。若し、共通のジャンルが無い場合、並びに同一のジャンルの楽曲も無い場合には、ステップＳＴ２４において、比較的近いジャンル（例えば洋楽／邦楽）と思われる楽曲が選択される。
【００３２】
上述した図７に示す処理によって、複数のモバイルデバイス２にそれぞれ蓄積されている楽曲の間で共通する楽曲の特徴に対応する楽曲を選択することができる。図７の例では、「タイトル」、「アーチスト名」、「ジャンル」の順に選択の優先順位が設定されているので、より共通する特徴に近い楽曲を選択することができる。
【００３３】
本出願人は、楽曲の波形を解析し、ビート、コード進行、楽曲構造、ジャンル、含まれる楽器音、ムードなどの情報を蓄積する技術（１２音解析」の技術を提案している。
【００３４】
１２音解析は、以下の順序で音楽を解析するものである。
「時間−音程解析」
１２音解析では、先ず、楽曲を時間と音程との二次元の解析を行う。音程は、１オクターブあたり１２の音程に解析する。
「音楽理論に則した解析」
次に、解析された二次元がを基に、種々の信号処理、検索処理などを行い、テンポ、拍子、小節線などのビート構造、コード進行、キー楽曲構造など音楽理由に則したものの検出処理を行う。
「特徴量の抽出」
そして、時間−音程解析結果、音楽理論に則した解析結果を基に、楽曲の分類に有効の思われる特徴量の抽出を行う。独立性の高い数十種類の特徴量を用いることで、種々の視点からの音楽分類を可能としている。
「メタデータの推定」
最後に、これまでの音楽解析で求められた特徴量を基にメタデータを推定する。
【００３５】
モバイルデバイス２に搭載されているＣＰＵ(Central Processing Unit) の能力が上述した１２音解析を行うために不足している場合、図８に示すように、パーソナルコンピュータ３によって、１２音解析の処理がなされる。パーソナルコンピュータ３には、解析の対象の所定のフォーマットの楽曲データが供給され、予めインストールされているプログラムによって１２音解析がなされる。
【００３６】
そして、１２音解析がなされた楽曲データと、その楽曲データに付随するメタデータとが関連付けられて、ＵＳＢ(Universal Serial Bus)メモリ等のリムーバブルメモリ４に書き込まれる。リムーバブルメモリ４がパーソナルコンピュータ３から取り外され、モバイルデバイス２のコネクタに装着され、楽曲データおよびメタデータがモバイルデバイス２に取り込まれる。
【００３７】
一例として、図９に示すように、この１２音解析によって得られる情報の内で、「ビート」、「ジャンル」、「ムード」の情報をメタデータとして使用するものである。
「ビート」：人が感じる音楽の速さのことである。同じテンポでも音質やリズムパターンなどによって人が感じる音楽の速さ感が異なるので、テンポとは区別される。
「ジャンル」：上述したジャンルと同様に、ロック、ジャズ、クラシックなどのジャンルを意味する。
「ムード」：明るい、さわやか、優雅などのムードを表すキーワードに当てはまるかどうかを意味する。
【００３８】
＜３．第２の実施の形態＞
図１０は、本開示の第２の実施の形態のシステムを示す。点線で囲んで示すように、自動車の車内空間１００に４台のモバイルデバイス２1 ，２2 ，２3，２4が存在する。これらのモバイルデバイスを特に区別する必要がない場合には、単にモバイルデバイス２と称する。第２の実施の形態では、モバイルデバイス２同士が通信を行う。このようにアクセスポイントを介さずに直接モバイルデバイス２同士が通信を行う通信モードは、アドホックモードと称される。
【００３９】
第２の実施の形態における処理も、上述した第１の実施の形態と同様になされる。モバイルデバイス２1 〜２4の中の１台が第１の実施の形態におけるオーディオ再生機器１に
相当する機能を持つものとされる。第２の実施の形態では、一つのモバイルデバイスが他のモバイルデバイスから選択したコンテンツを送信してもらい、受信したコンテンツを再生する。または、一つのモバイルデバイスに予め蓄積されているコンテンツの中からコンテンツの特徴に対応するコンテンツが選択される。さらに、一つのモバイルデバイスに他のモバイルデバイスに蓄積されているコンテンツを集めて蓄積し、蓄積されたコンテンツの中から再生するコンテンツを選択するようにしても良い。第２の実施の形態では、オーディオ再生機器が不要であるので、車載のオーディオ再生機器の制約を受けないで、コンテンツ再生システムを構成することができる。
【００４０】
＜４．変形例＞
以上、本開示の実施の形態について具体的に説明したが、上述の各実施の形態に限定されるものではなく、本開示の技術的思想に基づく各種の変形が可能である。例えばメタデータをインターネット上のユーザのプロフィール情報を利用して取得するようにしても良い。例えばソーシャル・ネットワーキング・サービスのプロフィール情報を利用して車内のユーザの嗜好情報を取得し、取得した嗜好情報を共通メタデータとして利用しても良い。
【００４１】
また、上述の実施の形態の構成、方法、工程、形状、材料および数値などは、本開示の主旨を逸脱しない限り、互いに組み合わせることが可能である。
【００４２】
なお、本開示は、以下のような構成も取ることができる。
（１）
予め接続が確立されている複数のモバイルデバイスから前記複数のモバイルデバイスのそれぞれに蓄積されているコンテンツの特徴を示すメタデータを無線接続を介して収集し、
収集される前記メタデータを処理して前記複数のモバイルデバイスにそれぞれ蓄積されているコンテンツの間で共通するコンテンツの特徴を抽出し、
前記抽出されるコンテンツの特徴に対応するコンテンツを選択し、
選択されるコンテンツを再生するコンテンツ再生装置。
（２）
前記メタデータが付加されているコンテンツが前記モバイルデバイスに蓄積される（１）に記載のコンテンツ再生装置。
（３）
前記共通するコンテンツの特徴を抽出する場合に、前記メタデータにに対して優先順位が付けられる（１）および（２）の何れかに記載のコンテンツ再生装置。
（４）
前記メタデータをインターネットを介して収集する（１）乃至（３）の何れかに記載のコンテンツ再生装置。
（５）
前記複数のモバイルデバイスを子機とし、コンテンツ再生デバイスを親機とし、前記コンテンツ再生デバイスと前記モバイルデバイスとが予め接続が確立されている（１））乃至（４）の何れかに記載のコンテンツ再生装置。
（６）
前記モバイルデバイスに蓄積されているコンテンツの中から前記抽出されるコンテンツの特徴に対応するコンテンツを選択する（５）に記載のコンテンツ再生装置。
（７）
前記コンテンツ再生デバイスに予め蓄積されているコンテンツの中から前記抽出されるコンテンツの特徴に対応するコンテンツを選択する（５）に記載のコンテンツ再生装置。（８）
前記複数のモバイルデバイス同士が無線通信を行う（１）に記載のコンテンツ再生装置。
（９）
前記複数のモバイルデバイスに予め蓄積されているコンテンツの中から前記抽出されるコンテンツの特徴に対応するコンテンツを選択する（８）に記載のコンテンツ再生装置。
【符号の説明】
【００４３】
１・・・オーディオ再生機器
２、２1 〜２4 ・・・モバイルデバイス
【図１】
2013213893.tif 000003
【図２】
2013213893.tif 000004
【図３】
2013213893.tif 000005
【図４】
2013213893.tif 000006
【図５】
2013213893.tif 000007
【図６】
2013213893.tif 000008
【図７】
2013213893.tif 000009
【図８】
2013213893.tif 000010
【図９】
2013213893.tif 000011
【図１０】
2013213893.tif 000012